(57)【要約】【課題】複数のダミーヘッドの中から所望のダミーヘッドで集音された音響信号を選択的に再生することが可能な音声配信装置およびその方法、音声再生装置を得ること。【解決手段】それぞれ異なる条件で音源４の発した音を同時に集音して音響信号を生成する複数の集音部２ｘと、音声再生装置から送信される、集音部２ｘで生成された複数の音響信号を選択するための選択情報を受信する送受信部１と、送受信部１で受信した選択情報に基づいて集音部２ｘで集音された複数の音響信号から１または複数の音響信号を選択する選択部６と、選択部６で選択された音響信号を送信する送受信部１と、を備える。【選択図】        図２
2005244664.tif 000002
【特許請求の範囲】
【請求項１】
音源の発した音を、それぞれ異なる条件で集音して音響信号に変換する複数の集音部と、
音配信要求元の端末から送信される、前記集音部で得られた複数の音響信号を選択するための選択情報を受信する受信部と、
前記複数の音響信号から、前記選択情報に基づいて１または複数の音響信号を選択する選択部と、
前記選択部で選択された音響信号を、音配信要求元の端末へ送信する配信部と、
を備えたことを特徴とする音配信装置。
【請求項２】
前記集音部の各々は、それぞれ種類の異なる頭部形状のダミーヘッドを有しており、
前記選択部は、前記選択情報に含まれるダミーヘッドの形状を示す情報に基づいて音響信号を選択することを特徴とする請求項１に記載の音配信装置。
【請求項３】
前記集音部の各々は、それぞれ音源に対して複数の異なる位置および／または方向に配置されるマイクロホンを有しており、
前記選択部は、前記選択情報に含まれるマイクロホンの位置および／または方向を示す情報に基づいて音響信号を選択することを特徴とする請求項１または２に記載の音配信装置。
【請求項４】
前記選択部は、前記選択情報に含まれる音配信要求元の端末の使用者の頭部が向いている方向に関する情報に基づいて音響信号を選択することを特徴とする請求項１〜３のいずれか１つに記載の音配信装置。
【請求項５】
音源の発した音を、それぞれ異なる条件で集音し変換された音響信号を取得する音響信号取得部と、
前記音取得部で取得された音響信号から１または複数の音響信号を選択する選択部と、
前記選択部で選択された音響信号を音として再生する音再生部と、
を備えることを特徴とする音再生装置。
【請求項６】
前記選択部は、前記複数の音響信号から選択される音響信号を、音再生装置の使用者の入力設定によって決定することを特徴とする請求項５に記載の音再生装置。
【請求項７】
音再生装置の使用者の頭部が向いている方向を検出する方向検出部をさらに備え、
前記選択部は、前記検出部での検出結果に基づいて、前記複数の音響信号から選択される音響信号を決定することを特徴とする請求項５に記載の音再生装置。
【請求項８】
音源の発した音を、それぞれ異なる条件で集音して音響信号に変換する集音ステップと、
音配信要求元の端末から送信される、前記音響信号を選択するための選択情報を受信する受信ステップと、
前記選択情報に基づいて前記音響信号から１または複数の音響信号を選択する選択ステップと、
選択した１または複数の音響信号を送信する送信ステップと、
を含むことを特徴とする音配信方法。
【請求項９】
音源の発した音を、それぞれ異なる条件で集音して音響信号に変換する複数の集音部と、
前記音響信号毎に、前記音響信号および前記音響信号に変換された音が集音された条件に関する情報を記録媒体に記録させる音記録部と、
を備えることを特徴とする記録媒体作成装置。
【請求項１０】
音源の発した音を、それぞれ異なる条件で集音して音響信号に変換する集音ステップと、
前記音響信号毎に、前記音響信号および前記音響信号に変換された音が集音された条件に関する情報を記録媒体に記録させる音記録ステップと、
を含むことを特徴とする記録媒体作成方法。
【請求項１１】
人間の頭部形状をしたダミーヘッドの両耳部に備えられた２つの集音部によって音源からの音を集音して音響信号に変換し送信するバイノーラル集音装置と、前記集音装置からの音響信号をネットワークを介して受信しヘッドホンで音として再生するバイノーラル再生装置とからなるバイノーラルシステムにおいて、
前記バイノーラル集音装置は、前記集音部で得られた音響信号ととともに、集音に使用したダミーヘッドの形状に関する情報を前記再生装置に送信し、
前記再生装置は、前記ヘッドホンで再生される音を受聴する受聴者の頭部形状に関する情報と、前記ダミーヘッドの形状に関する情報とに基づいて前記音響信号の補正内容を決定する信号補正部と、を備えることを特徴とするバイノーラルシステム。
【請求項１２】
人間の頭部形状をしたダミーヘッドの両耳部に備えられた２つの集音部によって音源からの音を集音して音響信号に変換し送信するバイノーラル音響配信方法において、
前記音響信号ととともに、集音に使用したダミーヘッドの形状に関する情報を音響信号の配信要求元の端末に送信するステップを含むことを特徴とするバイノーラル音響配信方法。
【請求項１３】
人間の頭部形状をしたダミーヘッドの両耳部に備えられた２つの集音部によって音源からの音を集音して音響信号に変換し送信するバイノーラル音響配信装置において、
前記集音部で得られた音響信号ととともに、集音に使用したダミーヘッドの形状に関する情報を音響信号の配信要求元の端末に送信する送信部を備えることを特徴とするバイノーラル音響配信装置。
【請求項１４】
人間の頭部形状をしたダミーヘッドの両耳部に備えられた２つの集音部によって音源からの音を集音し変換された音響信号をヘッドホンで音として再生するバイノーラル音響再生装置において、
前記ヘッドホンで再生される音を受聴する受聴者の頭部形状に関する情報と、前記ダミーヘッドの形状に関する情報とに基づいて前記音響信号の補正内容を決定する信号補正部を備えることを特徴とするバイノーラル音響再生装置。
【請求項１５】
人間の頭部形状をしたダミーヘッドの両耳部に備えられた２つの集音部によって音源からの音を集音して音響信号に変換し記録媒体に記録させる記録媒体作成装置において、
前記音響信号ととともに集音に使用したダミーヘッドの形状に関する情報を記録媒体に記録させる記録部を備えることを特徴とする記録媒体作成装置。
【請求項１６】
人間の頭部形状をしたダミーヘッドの両耳部に備えられた２つの集音部によって音源からの音を集音して音響信号に変換し記録媒体に記録させる記録媒体作成方法において、
前記音響信号ととともに集音に使用したダミーヘッドの形状に関する情報を記録媒体に記録させるステップを含むことを特徴とする記録媒体作成方法。
【請求項１７】
撮像対象の、それぞれ異なる範囲の画像を撮像して画像信号に変換する複数の撮像部と、
画像配信要求元の端末から送られる該端末の使用者の頭部が向いている方向に関する情報に基づいて、前記撮像部で得られた画像信号から１または複数の画像信号を選択する選択部と、
前記選択部で選択された画像信号を送信する送信部と、
を備えたことを特徴とする画像配信装置。
【請求項１８】
撮像対象の、それぞれ異なる範囲の画像を撮像して変換された画像信号を取得する画像信号取得部と、
画像の鑑賞者の頭部が向いている方向に関する情報に基づいて、前記取得部で得られた画像信号から１または複数の画像信号を選択する選択部と、
前記選択部で選択された画像信号を画像として表示する画像表示部と、
を備えたことを特徴とする画像表示装置。
【請求項１９】
撮像対象の、それぞれ異なる範囲の画像を撮像して画像信号に変換する複数の撮像部と、
前記画像信号とともに、前記画像信号に変換された画像が撮像された条件に関する情報を記録媒体に記録させる画像記録部と、
を備えることを特徴とする記録媒体作成装置。
【請求項２０】
撮像対象の、それぞれ異なる範囲の画像を撮像して画像信号に変換する画像信号生成ステップと、
前記画像信号とともに、前記画像信号に変換された画像が撮像された条件に関する情報を記録媒体に記録させる画像記録ステップと、
を備えることを特徴とする記録媒体作成方法。
【発明の詳細な説明】
【技術分野】
【０００１】
本発明は、集音された音響信号を遠隔地で再生する音配信装置およびその方法、音再生装置、バイノーラルシステム、バイノーラル音響配信装置およびその方法、画像表示装置、画像配信方法、バイノーラル音響再生装置、記録媒体作成装置およびその方法に関するものである。
【背景技術】
【０００２】
従来、コンサート等の公演を自宅等の会場以外の場所で視聴する場合は、会場に設置されたマイク等によって録音された信号をＣＤ（Compact Disc）等を介して視聴していた。このＣＤ等に収録された音響信号はステレオや５．１チャンネルでの再生に限られ、臨場感のある再生であるとはいえなかった。
【０００３】
臨場感のある再生を可能にする方法として、人間の頭部形状をした人形の両耳部に１対の集音装置（マイクロホン）を設置したダミーヘッドで音を集音し、スピーカやヘッドホンによって再生する方法がある。
【０００４】
非特許文献１に記載のバイノーラル音場再生系は、音源と受聴者の相対位置で決まる単純な両耳遅延を与えることによってモデルを作成し、基礎となるＨＲＴＦ（head-related transfer function）との定位精度を比較している。
【０００５】
【非特許文献１】浜田晴夫，「バイノーラル音場再生系について」，日本音響学会誌，日本音響学会，１９９２年，第４８巻，４号，Ｐ２５０‐２５２
【発明の開示】
【発明が解決しようとする課題】
【０００６】
しかしながら上記従来のバイノーラル再生系においては、１つの条件でダミーヘッドは音を集音するため、トランスオーラル再生装置やバイノーラル再生装置は必ずしも受聴者の要望に応じた音響再生ができなかった。また、予めトランスオーラル再生装置が基礎となるＨＲＴＦの情報を取得していなければならないため、複数のトランスオーラル再生装置で迅速に音響再生を行うことが困難であった。
【０００７】
本発明は、上記に鑑みてなされたものであって、複数の音響信号の中からユーザが要求する音響信号を提供することが可能な音配信装置およびその方法、音再生装置、記録媒体作成装置およびその方法を得ることを目的とする。
【０００８】
また、音響信号とともにダミーヘッドの形状に関する情報を提供することが可能なバイノーラルシステム、バイノーラル音響配信装置およびその方法、バイノーラル音響再生装置、記録媒体作成装置およびその方法を得ることを目的とする。
【０００９】
また、ユーザの鑑賞条件に対応した画像信号を提供することが可能な画像配信装置、画像表示装置、記録媒体作成装置およびその方法を得ることを目的とする。
【課題を解決するための手段】
【００１０】
上述した課題を解決し、目的を達成するために、請求項１にかかる発明は、それぞれ異なる条件で音源の発した音を同時に集音して音響信号を生成する複数の集音部と、音配信要求元の端末から送信される、前記集音部で生成された複数の音響信号を選択するための選択情報を受信する受信部と、前記受信部で受信した前記選択情報に基づいて前記集音部で集音された複数の音響信号から１または複数の音響信号を選択する選択部と、前記選択部で選択された音響信号を送信する送信部と、を備えたことを特徴とする。
【００１１】
また、請求項１１にかかる発明は、人間の頭部形状をしたダミーヘッドの両耳部に備えられた２つの集音部によって音源からの音を集音して音響信号を生成し送信するバイノーラル集音装置と、前記集音装置からの音響信号をネットワークを介して受信しヘッドホンで再生するバイノーラル再生装置とからなるバイノーラルシステムにおいて、前記バイノーラル集音装置は、前記集音部で集音された音響信号ととともに、集音に使用したダミーヘッドの形状に関する情報を前記再生装置に送信し、前記再生装置は、前記ヘッドホンで再生される音を受聴する受聴者の頭部形状に関する情報と、前記ダミーヘッドの形状に関する情報とに基づいて前記音響信号の補正内容を決定する信号補正部と、を備えることを特徴とする。
【００１２】
また、請求項１７にかかる発明は、それぞれ撮像対象の異なる範囲を同時に撮像して画像信号を生成する複数の撮像部と、画像配信要求元の端末から送られる該端末の使用者の頭部が向いている方向に関する情報に基づいて、複数の撮像部で撮像された画像信号から１または複数の画像信号を選択する選択部と、前記選択部で選択された画像信号を送信する送信部と、を備えたことを特徴とする。
【発明の効果】
【００１３】
本発明によれば、異なる条件で音を同時に集音しているので、受聴者が遠隔地にいる場合であっても、受聴者の環境等に応じた音声の再生や受聴者の所望の条件で集音された音声の再生を行うことができるという効果を奏する。
【００１４】
また、バイノーラル集音を行う際、集音する音響信号とともに集音に使用したダミーヘッドの形状に関する情報を送信や記録しているので、受聴者は自身の頭部形状に関する情報とダミーヘッドの形状に関する情報に基づいて音響信号を補正することができる。したがって、受聴者毎に自身の頭部形状に応じた補正が行われた音響信号の再生を行うことができるという効果を奏する。
【００１５】
また、画像の観覧者の頭部が向いている方向に関する情報に基づいて撮像された複数の画像信号から画像信号を選択して合成しているので、観覧者の頭部の向いている方向に応じた画像の再生を行うことができるという効果を奏する。
【発明を実施するための最良の形態】
【００１６】
以下に添付図面を参照して、この発明にかかる音声配信装置およびその方法、音声再生装置、バイノーラルシステム、バイノーラル音響配信装置およびその方法、バイノーラル音響再生装置、記録媒体作成装置およびその方法の最良な実施の形態を詳細に説明する。なお、この実施の形態により本発明が限定されるものではない。
【００１７】
（第１の実施の形態）
図１は、本発明の第１の実施の形態にかかる音響再生装置の構成を示すブロック図であり、図２は、図１に示す音響再生装置を含んだ音響配信システムの構成を示すシステム構成図である。図２において、音響配信システム１００は、音源４、音響配信装置５０、ネットワーク５、１〜複数の音響再生装置１０からなる。
【００１８】
音響配信装置５０は、ネットワーク５を介して音源４からの音を複数の音響再生装置１０に送る装置であり、送受信部１、選択部６、複数のダミーヘッド２ｘを備えている。なお、本実施の形態においては、音響配信装置５０が複数のダミーヘッド２ｘを備える構成として説明するが、複数のダミーヘッド２ｘに限られず、音響配信装置５０がマイク等の単一の集音装置を複数備える構成としてもよい。
【００１９】
ダミーヘッド２ｘは、人間の頭部の形状をしており、ダミーヘッド２ｘの両耳部にマイクロホン等の１対の集音部３Ｌ，３Ｒを備えている。なお、ダミーヘッド２ｘは、コンサート会場、スタジアム、劇場等にいる人間が音源４を受聴する位置であって、この人間が音源４を受聴する際に向く方向（音源４に対して正面方向）に設置されている。これによって、ダミーヘッド２ｘは人間が音源４を聞いているのと同様の環境で音を集音することが可能となる。
【００２０】
ダミーヘッド２ｘは、コンサート会場等において、前方の席、後方の席、中央付近の席等、種々の場所に配置しておく。また、ダミーヘッド２ｘを配置する高さも大人が立って音源４を聞く高さ、大人が座って音源４を聞く高さ、子供が立って音源４を聞く高さ、子供が座って音源４を聞く高さ等複数種類用意しておく。さらに、ダミーヘッド２ｘの頭部形状も男性用、女性用、子供用等、複数種類配置しておく。
【００２１】
集音部３Ｌは、ダミーヘッド２ｘの左耳の位置に配置されており、ダミーヘッド２ｘの位置に人間がいた場合に、人間が左耳で聞き取る音を音響信号（ディジタル信号）として集音する。集音部３Ｒは、ダミーヘッド２ｘの右耳の位置に配置されており、ダミーヘッド２ｘの位置に人間がいた場合に、人間が右耳で聞き取る音を音響信号として集音する。
【００２２】
送受信部１は、ダミーヘッド２ｘの集音部３Ｌ，３Ｒからの音響信号を選択部６を介して受信する。また、送受信部１は、音響再生装置１０が再生する音を受聴する受聴者が希望する席やダミーヘッド２ｘの形状等に関する情報等を受信し、これを選択部６に送る。そして、受聴者が希望した位置に設置されたダミーヘッド２ｘの音響信号や受聴者が希望した形状のダミーヘッド２ｘの音響信号が、これを希望した受聴者の音響再生装置１０にネットワーク５を介して送られる。
【００２３】
なお、受聴者から受聴者の頭部形状に関する情報が送られてきた場合は、この頭部形状に最も近い形状のダミーヘッド２ｘで集音された音響信号が受聴者に送られるものとする。また、複数の音響再生装置１０から同一のダミーヘッド２ｘが希望された場合は、このダミーヘッド２ｘからの音響信号が複数の音響再生装置１０に送られることとなる。
【００２４】
音源４からダミーヘッド２ｘ、選択部６、送受信部１、ネットワーク５を介して音響再生装置１０へ送られる音響信号は、リアルタイムで送られるものとする。また、送受信部１と音響再生装置１０は、ネットワークを介して接続する構成に限られず、送受信部１と各音響再生装置１０を直接接続する構成としてもよい。
【００２５】
選択部６は、送受信部１から送られる受聴者が希望する席や受聴者の頭部形状に関する情報（希望するダミーヘッド２ｘの形状）等に基づいて、複数のダミーヘッド２ｘの中から１つのダミーヘッド２ｘを選択し、選択したダミーヘッド２ｘからの音響信号を送受信部１に送る。選択部６が選択するダミーヘッド２ｘは、受聴者が要求してきた席、位置、ダミーヘッドの形状に関する情報に基づいて、選択されるものとする。選択したダミーヘッド２ｘからの音響信号は、送受信部１から受聴者の音響再生装置１０に送られる。なお、受聴者が複数のダミーヘッド２ｘによって集音された音響信号を要求してきた場合は複数のダミーヘッド２ｘによって集音された音響信号を送信するものとする。
【００２６】
音源４は、ダミーヘッド２ｘによって集音される音（音楽、会話、コンサートホールでの歓声等全ての音を含む）の出力元である。なお、音源４は、複数個備えられた構成としてもよい。
【００２７】
音響再生装置１０は、送受信部１から送られる音響信号を受信して、この音響信号を再生出力する装置であり、送受信部１８、ヘッドホン１７Ｌ，１７Ｒ、設定部１６からなる。なお、本実施の形態においては音響再生装置１０がヘッドホン１７Ｌ，１７Ｒを備えるバイノーラル再生系の音響再生装置の場合について説明するが、音響再生装置１０がヘッドホン１７Ｌ，１７Ｒの代わりにスピーカを備えるトランスオーラル再生系の音響再生装置であってもよい。
【００２８】
設定部１６は、受聴者が希望するコンサート会場等における席の位置、ダミーヘッド２ｘが設置される高さ、ダミーヘッド２ｘの形状を設定するためのものであり、設定部１６で設定された席の位置等に関する情報は、送受信部１８に送られる。なお、受聴者の頭部形状を設定する場合は、受聴者の性別、頭の大きさ、形状、髪型等を設定部１６に入力することにより行う。
【００２９】
送受信部１８は、ネットワーク５と接続され、送受信部１からダミーヘッド２ｘで集音された音響信号を受信し、ヘッドホン１７に送る。また、送受信部１８は、設定部１６で設定された席の位置等に関する情報を、ネットワーク５、送受信部１を介して選択部６に送る。
【００３０】
なお、選択部６から各音響再生装置１０に、コンサート会場等において選択可能なダミーヘッド２ｘ（選択可能な席、高さ、頭部形状）の情報を予め送っておき、各音響再生装置１０の使用者が希望するダミーヘッド２ｘを選択するようにしてもよい。
【００３１】
つぎに、このような音響配信システムの音響再生方法について、図３のフローチャートを参照しながら説明する。音の受聴者は、コンサート会場等で希望する席の位置、ダミーヘッド２ｘの高さ、ダミーヘッド２ｘの形状に関する情報を設定部１６に設定する（ステップＳ１１０）。
【００３２】
設定部１６に設定された希望する席の位置、ダミーヘッドの高さ、ダミーヘッド２ｘの形状に関する情報は、送受信部１８に送られ、ネットワーク５、送受信部１を介して選択部６に送られる（ステップＳ１２０）。
【００３３】
音源４からの音は、種々の位置、高さに配置された種々の形状をしたダミーヘッド２ｘの集音部３Ｌ，３Ｒによって集音する（ステップＳ１３０）。このとき、各ダミーヘッド２ｘは、音源４の正面に向けられており、ダミーヘッド２ｘの位置に受聴者（人間）がいたとした時に、受聴者の左耳で聞く音を集音部３Ｌで集音し、受聴者の右耳で聞く音を集音部３Ｒで集音する。
【００３４】
選択部６は、受聴者が希望した席の位置、ダミーヘッド２ｘの高さに配置されているダミーヘッド２ｘであって、受聴者が希望する形状のダミーヘッド２ｘを選択する（ステップＳ１４０）。
【００３５】
そして、選択部６はこの選択したダミーヘッド２ｘからの音響信号を送受信部１に送る。送受信部１は、受聴者からの希望に応じて選択されたダミーヘッド２ｘが集音した音響信号を、希望を要求した受聴者の音響再生装置１０にリアルタイムで送る（ステップＳ１５０）。このとき、送受信部１は、同時に複数の音響再生装置１０に同じ音響信号を送ってもよい。音響再生装置１０に送られた音響信号は、送受信部１８によって受信され、ヘッドホン１７Ｌ，１７Ｒから音として出力される（ステップＳ１６０）。
【００３６】
このように、第１の実施の形態によれば、音源４からの種々の席および高さ、種々の頭部形状からなる複数のダミーヘッド２ｘを設置しているので、種々の条件でダミーヘッド２ｘは音源４からの音を集音することができる。したがって、音響再生装置１０は、受聴者が希望した位置で受聴者の頭部形状に近いダミーヘッド２ｘによって集音された音源４からの音を再生することが可能となる。
【００３７】
（第２の実施の形態）
図４〜６を用いてこの発明の第２の実施の形態について説明する。図４は、本発明の第２の実施の形態にかかる音響再生装置の構成を示すブロック図であり、図５は、図４に示す音響再生装置を含んだ音響配信システムの構成を示すシステム構成図である。本実施の形態においては、例えば４つのダミーヘッドをそれぞれ音源４に対して異なる方向で配置させる。なお、以下の説明では、上述した第１の実施の形態と同一の構成要素には同一の符号を付してその説明を省略している。
【００３８】
図５において、音響配信システム１０１は、音源４、音響配信装置６０、ネットワーク５、１〜複数の音響再生装置２０からなり、音響配信装置６０は、４つのダミーヘッド２ａ〜２ｄ、算出部６８、送受信部１、音響信号合成部６６を備えている。
【００３９】
音響配信装置６０が備える４つのダミーヘッド２ａ〜２ｄは、それぞれ音源４に対して９０度ずつ方向を変えて異なる方向を向いている。ダミーヘッド２ａは、音源４に対して正面を向いており、人間がダミーヘッド２ａの位置で音源４に対して正面を向いた場合に聞くことができる音を集音部３Ｌ，３Ｒが集音する。ここで集音された音は音響信号Ａｌ，Ａｒとして音響信号合成部６６に送られる。
【００４０】
ダミーヘッド２ｃは、音源４に対して真後ろを向いており、人間がダミーヘッド２ｃの位置で音源４に対して真後ろを向いた場合に聞くことができる音を集音部３Ｌ，３Ｒが集音する。ここで集音された音は音響信号Ｂｌ，Ｂｒとして音響信号合成部６６に送られる。
【００４１】
ダミーヘッド２ｂは、ダミーヘッド２ｂの左側に音源４が位置する方向を向いており、人間がダミーヘッド２ｂの位置で人間の左側に音源４が位置する方向を向いた場合に聞くことができる音を集音部３Ｌ，３Ｒが集音する。ここで集音された音は音響信号Ｃｌ，Ｃｒとして音響信号合成部６６に送られる。
【００４２】
ダミーヘッド２ｄは、ダミーヘッド２ｄの右側に音源４が位置する方向を向いており、人間がダミーヘッド２ｂの位置で人間の右側に音源４が位置する方向を向いた場合に聞くことができる音を集音部３Ｌ，３Ｒが集音する。ここで集音された音は音響信号Ｄｌ，Ｄｒとして音響信号合成部６６に送られる。
【００４３】
音響信号合成部６６は、ダミーヘッド２ａ〜２ｄの各集音部３Ｌ，３Ｒが集音した音の音響信号Ａｌ，Ａｒ〜Ｄｌ，Ｄｒを受信し、算出部６８の算出結果に基づいて音響信号Ａｌ，Ａｒ〜Ｄｌ，Ｄｒの中から所定の音響信号を選択して合成する。そして、合成した音響信号は、音響信号Ｔｌ，Ｔｒとして送受信部１、ネットワーク５を介して音響再生装置２０に送られる。
【００４４】
送受信部１は、音響再生装置２０からネットワーク５を介して、受聴者の頭部が基準となる位置に対して向いている方向に関する情報（以下、頭部方向情報という）をリアルタイムで受信し、これを算出部６８に送る。また、送受信部１は、音響信号合成部６６によって合成された音響信号Ｔｌ，Ｔｒをネットワーク５を介してリアルタイムで音響再生装置２０に送る。
【００４５】
算出部６８は、送受信部１から頭部方向情報を受信し、この情報に基づいて音響再生装置２０に送るべき音響信号Ｔｌ，Ｔｒを算出する。例えば、受聴者が基準となる位置に対して正面を向いている場合は、受聴者がヘッドホン１７Ｌ，１７Ｒを介して自分の正面から音が聞こえるような音響信号Ａｌ，Ａｒを音響信号Ｔｌ，Ｔｒとして算出する。また、受聴者の左側が基準となる位置になる方向を向いている場合は、受聴者がヘッドホン１７Ｌ，１７Ｒを介して自分の左方向から音が聞こえるような音響信号Ｂｌ，Ｂｒを音響信号Ｔｌ，Ｔｒとして算出する。
【００４６】
さらに、受聴者の左側が基準となる位置になる方向と、受聴者の正面が基準となる位置になる方向の中間方向を向いている場合は、例えば音響信号Ａｌ，Ａｒの半分と音響信号Ｂｌ，Ｂｒの半分を合成したものを、この中間方向から音が聞こえるような音響信号Ｔｌ，Ｔｒとして算出する。なお、音響信号Ｔｌ，Ｔｒの合成は、受聴者の向いている方向に応じて、音響信号Ａｌ，Ａｒ〜Ｄｌ，Ｄｒを用いて任意に行うことができるものとする。なお、送受信部１と音響再生装置２０は、ネットワークを介して接続する構成に限られず、送受信部１と各音響再生装置２０を直接接続する構成としてもよい。
【００４７】
図４に示すように、音響再生装置２０は、送受信部１８、方向認識部２１、ヘッドホン１７Ｌ，１７Ｒからなる。送受信部１８は、ネットワーク５を介して送受信部１から音響信号Ｔｌ，Ｔｒを受信し、これをヘッドホン１７Ｌ，１７Ｒに送る。また、送受信部１８は、方向認識部２１によって得られた頭部方向情報を音響配信装置６０に送信する。
【００４８】
方向認識部２１は、受聴者の頭部が基準となる位置に対して向いている方向を検出する。受聴者が向いている方向を検出するため、受聴者の頭部方向に対して基準となる位置を受聴者が予め設定しておく。そして、例えばヘッドホン１７Ｌ，１７Ｒに角度センサ（図示せず）を設置しておき、角度センサからの情報を方向認識部２１が受けることによって
予め設定しておいた基準となる位置に対して受聴者の頭部がどの方向を向いているかを検出する。
【００４９】
なお、基準となる位置は、受聴者が自由に設定変更可能とする。方向認識部２１によって検出された受聴者が向いている方向の情報は頭部方向情報として送受信部１８、ネットワーク５を介して音響配信装置６０の送受信部１に送られる。
【００５０】
つぎに、このような音響配信システムの音響再生方法について、図６のフローチャートを参照しながら説明する。音響配信装置６０は、音源４からの音を４つのダミーヘッド２ａ〜２ｄの夫々の集音部３Ｌ，３Ｒによって集音する（ステップＳ２１０）。このとき、ダミーヘッド２ａは音源４に対して正面を向いており、ダミーヘッド２ｃは音源４に対して真後ろを向いている。さらに、ダミーヘッド２ｂはダミーヘッド２ｂの左側に音源４が位置する方向を向いており、ダミーヘッド２ｄはダミーヘッド２ｄの右側に音源４が位置する方向を向いている。
【００５１】
夫々の集音部３Ｌ，３Ｒで集音された音は、音響信号Ａｌ，Ａｒ〜Ｄｌ，Ｄｒとして
音響信号合成部６６に送られる（ステップＳ２２０）。このとき、音響再生装置２０においては、方向認識部２１がヘッドホン１７Ｌ，１７Ｒが備える角度センサからの情報と予め設定しておいた基準となる位置の情報によって、受聴者の頭部が向いている方向を検出し、（ステップＳ２３０）、これを頭部方向情報として送受信部１８、ネットワーク５を介して音響配信装置６０の送受信部１に送る（ステップＳ２４０）。算出部６８は、送受信部１から頭部方向情報を受信し、この情報に基づいて音響再生装置２０に送るべき音響信号Ｔｌ，Ｔｒを算出する（ステップＳ２５０）。
【００５２】
算出部６８での算出結果は音響信号合成部６６に送られ、音響信号合成部６６は算出部６８での算出結果に基づいて集音部３Ｌ，３Ｒで集音された音響信号Ａｌ，Ａｒ〜Ｄｌ，Ｄｒの中から所定の音響信号を選択して音響信号Ｔｌ，Ｔｒを合成する（ステップＳ２６０）。合成した音響信号Ｔｌ，Ｔｒは、送信部７、ネットワーク５を介して音響再生装置２０に送られる（ステップＳ２７０）。
【００５３】
音響再生装置２０に送られた音響信号Ｔｌ，Ｔｒは、送受信部１８によって受信され、ヘッドホン１７Ｌ，１７Ｒに送られる。送受信部１８から送られた音響信号Ｔｌ，Ｔｒはヘッドホン１７Ｌ，１７Ｒで音として出力され（ステップＳ２８０）、音響再生装置２０の使用者（受聴者）はこの音を受聴する。
【００５４】
受聴者が音を受聴している際、方向認識部７１は受聴者の頭部が向いている方向を確認し続けている。受聴者が頭部の方向を変えると（ステップＳ２９０でＹｅｓの場合）、方向認識部２１はその方向を検出し（ステップＳ２３０）、頭部方向情報として送受信部、ネットワーク５を介して音響配信装置６０の送受信部１に送られる（ステップＳ２４０）。
【００５５】
以下、同様に受聴者が向いている方向に応じて出力すべき音響信号Ｔｌ，Ｔｒが算出部６８で算出され（ステップＳ２５０）、音響信号合成部６６において音響信号Ｔｌ，Ｔｒが合成される（ステップＳ２６０）。そして、この音響信号Ｔｌ，Ｔｒが音響再生装置２０に送られて（ステップＳ２７０）、ヘッドホン１７Ｌ，１７Ｒで音が出力される（ステップＳ２８０）。
【００５６】
一方、受聴者が音を受聴している際に、頭部の方向を変えなければ（ステップＳ２９０でＮｏの場合）、このまま音響信号合成部６６で選択、合成された音響信号Ｔｌ，Ｔｒが音としてヘッドホン１７Ｌ，１７Ｒで出力され続けることとなる。このように、受聴者が音を受聴している間は、音響信号合成部６６において受聴者の頭部が向いている方向に追従して、音響信号Ｔｌ，Ｔｒが合成される。
【００５７】
なお、ステップＳ２３０〜Ｓ２９０の動作は音響再生装置２０毎に行われるものとし、各音響再生装置２０へは、自らの送受信部１８が送信した頭部方向情報に対応した音響信号Ｔｌ，Ｔｒが音響配信装置６０から送られるものとする。
【００５８】
なお、本実施の形態においては、４つのダミーヘッド２ａ〜２ｄで音源４からの音を集音することとしたが、ダミーヘッドは４つに限られず、例えば８つのダミーヘッドで集音する構成としてもよい。ダミーヘッドが４つの場合、各ダミーヘッド２ａ〜２ｄは、それぞれ音源４に対して９０度ずつ方向を変えて異なる方向を向かせて配置していたが、ダミーヘッドが８つの場合、各ダミーヘッドは、それぞれ音源４に対して４５度ずつ方向を変えて異なる方向を向かせて配置する。
【００５９】
また、本実施の形態においては、音源４に対して４つのダミーヘッド２ａ〜２ｄを一組設置する構成としたが、４つのダミーヘッド２ａ〜２ｄを種々の高さに複数組設置する構成としてもよい。この場合、種々の高さに設置された複数組のダミーヘッド２ａ〜２ｄが集音した複数組の音響信号Ａｌ，Ａｒ〜Ｄｌ，Ｄｒが送受信部１、ネットワーク５、送受信部を介してヘッドホン１７Ｌ，１７Ｒに送られる。また、ヘッドホン１７Ｌ，１７Ｒには受聴者の頭部の高さを検知するセンサを設置しておく。そして、受聴者の頭部の高さに応じて、音響信号合成部６６からヘッドホン１７Ｌ，１７Ｒに送るべき音響信号Ｔｌ，Ｔｒを複数組の音響信号Ａｌ，Ａｒ〜Ｄｌ，Ｄｒから選択して合成すればよい。
【００６０】
なお、本実施の形態においては、音響配信装置６０が算出部６８を備える構成としたが、音響再生装置２０が算出部６８を備える構成としてもよい。この場合、音響再生装置２０の送受信部１８から算出部６８の算出結果（音響信号Ｔｌ，Ｔｒに関する情報）がネットワーク５、送受信部１を介して音響信号合成部６６に送られる。
【００６１】
このように、第２の実施の形態によれば、４つのダミーヘッド２ａ〜２ｄが音源４に対して異なる方向を向いて設置されているので、音源４からの音を４つの方向から集音することができる。また、音響再生装置２０の方向認識部２１は、受聴者が向いている方向を検出し、音響信号合成部６６は受聴者が向いている方向に対応した音響信号を選択して合成することができる。したがって、音響再生装置２０は受聴者が向いている方向に追従した音を再生することが可能となる。
【００６２】
（第３の実施の形態）
図７および図８を用いてこの発明の第３の実施の形態について説明する。図７は、本発明の第３の実施の形態にかかる媒体作成装置の構成を説明するための図である。
なお、以下の説明では、上述した第１および第２の実施の形態と同一の構成要素には同一の符号を付してその説明を省略している。
【００６３】
媒体作成装置８５は、１〜複数のダミーヘッドＤ１〜ダミーヘッドＤｎ（ｎは自然数）、記録部９１からなる。１〜複数のダミーヘッドＤ１〜ダミーヘッドＤｎは、実施の形態１および実施の形態２で説明したダミーヘッド２ｘおよびダミーヘッド２ａ〜２ｄと同様に集音部３Ｌ，３Ｒを備えた構造をしており、種々の形状で種々の位置や方向に配置される。
【００６４】
ダミーヘッドＤ１〜Ｄｎはダミーヘッド２ｘのように、コンサート会場等において、前方の席、後方の席、中央付近の席等、種々の場所に配置しておく。また、ダミーヘッド２ｘを配置する高さも大人が立って音源４を聞く高さ、大人が座って音源４を聞く高さ、子供が立って音源４を聞く高さ、子供が座って音源４を聞く高さ等複数種類用意しておく。さらに、ダミーヘッド２ｘの頭部形状も男性用、女性用、子供用等、複数種類配置しておく。さらに、ダミーヘッドＤ１〜Ｄｎはダミーヘッド２ａ〜２ｄのように、音源４に対してそれぞれ所定の角度ずつ方向を変えて異なる方向を向かせて配置する。
【００６５】
記録部９１は、ダミーヘッドＤ１〜Ｄｎで集音された音響信号Ｓ１〜ＳｎをＣＤ（Compact Disc）等の記録媒体９２に記録する機能を有している。また、記録媒体９２へは音響信号Ｓ１〜Ｓｎが集音された際の集音条件Ｅ１〜Ｅｎも記録されるものとする。集音条件Ｅ１〜Ｅｎは、例えば、集音をしたダミーヘッドＤ１〜Ｄｎの形状、ダミーヘッドＤ１〜Ｄｎの音源４に対する位置、ダミーヘッドＤ１〜Ｄｎの音源４に対する向き等が含まれる。
【００６６】
なお、集音条件Ｅ１〜Ｅｎの記録媒体９２への記録は、記録部９１が各ダミーヘッドＤ１〜Ｄｎに集音条件Ｅ１〜Ｅｎを要求することによって行ってもよいし、各ダミーヘッドＤ１〜Ｄｎから記録部９１に集音条件Ｅ１〜Ｅｎを提供することによって行ってもよい。
【００６７】
また、１つの記録媒体９２に複数の音響信号Ｓ１〜Ｓｎとこれに対応する集音条件Ｅ１〜Ｅｎを記録させるようにしてもよいし、１つの記録媒体９２には１つの音響信号とこれに対応する１つの集音条件のみを記録させるようにしてもよい。
【００６８】
つぎに、このような媒体記録装置の媒体記録方法について、図８のフローチャートを参照しながら説明する。各ダミーヘッドＤ１〜Ｄｎは、音源４からの音を音響信号Ｓ１〜Ｓｎとして集音し（ステップＳ３１０）、この音響信号Ｓ１〜Ｓｎを記録部９１に送る。そして、記録部９１は音響信号Ｓ１〜Ｓｎを記録媒体９２に記録させる（ステップＳ３２０）。このとき、音響信号Ｓ１〜Ｓｎを集音した各ダミーヘッドＤ１〜Ｄｎの集音条件Ｅ１〜Ｅｎを、記録部９１によって記録媒体９２に記録させる（ステップＳ３３０）。
【００６９】
なお、本実施の形態においては、各ダミーヘッドＤ１〜Ｄｎが音源４からの音を集音した後に、集音条件Ｅ１〜Ｅｎを記録媒体９２に記録することとしたが、各ダミーヘッドＤ１〜Ｄｎが音源４からの音を集音する前に、集音条件Ｅ１〜Ｅｎを記録媒体９２に記録するようにしてもよい。
【００７０】
また、記録部９１が音響信号Ｓ１〜Ｓｎや集音条件Ｅ１〜Ｅｎを一時的に保留しておき、必要に応じて音響信号Ｓ１〜Ｓｎや集音条件Ｅ１〜Ｅｎを記録媒体９２に記録させるようにしてもよい。
【００７１】
このように、第３の実施の形態によれば、媒体作成装置８５が音響信号Ｓ１〜Ｓｎとともに集音条件Ｅ１〜Ｅｎを記録媒体９２に記録させることとしたので、記録媒体９２の音響信号Ｓ１〜Ｓｎを音として受聴する受聴者は、自らの希望に応じた集音条件で集音された音響信号を選択的に出力させることができる。また、記録媒体９２から音響信号Ｓ１〜Ｓｎを出力させる際、集音条件Ｅ１〜Ｅｎに基づいた音響信号Ｓ１〜Ｓｎの補正を行うことが可能となる。
【００７２】
（第４の実施の形態）
図９〜１１を用いてこの発明の第４の実施の形態について説明する。図９は、本発明の第４の実施の形態にかかる音響再生装置の構成を示すブロック図であり、図１０は、図９に示す音響再生装置を含んだ音響配信システムの構成を示すシステム構成図である。なお、以下の説明では、上述した第１〜第３の実施の形態と同一の構成要素には同一の符号を付してその説明を省略している。
【００７３】
図１０において、音響配信システム２００は、音源４、音響配信装置７０、ネットワーク５、１〜複数の音響再生装置３０からなる。本実施の形態においては、音響再生装置３０が選択部３９を備えている。
【００７４】
音響配信装置７０は、ネットワーク５を介して音源４からの音を複数の音響再生装置３０に送る装置であり、送信部７、複数のダミーヘッド２ｘを備えている。なお、本実施の形態においては、音響配信装置７０が複数のダミーヘッド２ｘを備える構成として説明するが、複数のダミーヘッド２ｘに限られず、音響配信装置７０がマイク等の単一の集音装置を複数備える構成としてもよい。
【００７５】
送信部７は、ダミーヘッド２ｘの集音部３Ｌ，３Ｒからの音響信号を受信し、ネットワーク５を介して音響再生装置３０に送る。なお、送信部７は、音響信号を複数の音響再生装置３０に対して同時に送ることができる。
【００７６】
音源４からダミーヘッド２ｘ、送信部７、ネットワーク５を介して音響再生装置３０へ送られる音響信号は、リアルタイムで送られるものとする。また、送信部７と音響再生装置３０は、ネットワークを介して接続する構成に限られず、送信部７と各音響再生装置３０を直接接続する構成としてもよい。
【００７７】
音響再生装置３０は、送受信部１から送られる複数の音響信号を受信して、この音響信号の中から１つの音響信号を選択して出力する装置であり、受信部３８、選択部３９、ヘッドホン１７Ｌ，１７Ｒ、設定部１６からなる。なお、本実施の形態においては音響再生装置３０がヘッドホン１７Ｌ，１７Ｒを備えるバイノーラル再生系の音響再生装置の場合について説明するが、音響再生装置３０がヘッドホン１７Ｌ，１７Ｒの代わりにスピーカを備えるトランスオーラル再生系の音響再生装置であってもよい。
【００７８】
受信部３８は、ネットワーク５と接続され、送信部７から複数のダミーヘッド２ｘで集音された複数の音響信号を受信し、選択部３９に送る。設定部１６は、受聴者が希望するコンサート会場等における席の位置、ダミーヘッド２ｘが設置される高さ、ダミーヘッド２ｘの形状を設定するためのものであり、設定部１６で設定された席の位置等に関する情報は、選択部３９に送られる。
【００７９】
選択部３９は、設定部１６で設定した受聴者が希望する席や受聴者の頭部形状に関する情報（希望するダミーヘッド２ｘの形状）等に基づいて、送信部７から送られる複数のダミーヘッド２ｘで集音された複数の音響信号の中から１つのダミーヘッド２ｘで集音された音響信号を選択する。そして、選択部３９で選択された１つのダミーヘッド２ｘからの音響信号は、ヘッドホン１７Ｌ，１７Ｒに送られる。
【００８０】
つぎに、このような音響配信システムの音響再生方法について、図１１のフローチャートを参照しながら説明する。音の受聴者は、コンサート会場等で希望する席の位置、ダミーヘッド２ｘの高さ、ダミーヘッド２ｘの形状に関する情報を設定部１６に設定する（ステップＳ４１０）。
【００８１】
設定部１６に設定された希望する席の位置、ダミーヘッドの高さ、ダミーヘッド２ｘの形状に関する情報は、選択部３９に送られる（ステップＳ４２０）。音源４からの音は、種々の位置、高さに配置された種々の形状をしたダミーヘッド２ｘの集音部３Ｌ，３Ｒによって集音する（ステップＳ４３０）。このとき、各ダミーヘッド２ｘは、音源４の正面に向けられており、ダミーヘッド２ｘの位置に受聴者（人間）がいたとした時に、受聴者の左耳で聞く音を集音部３Ｌで集音し、受聴者の右耳で聞く音を集音部３Ｒで集音する。
【００８２】
複数のダミーヘッドで集音された複数の音響信号は、送信部７、ネットワーク５、受信部３８を介して選択部３９に送られる（ステップＳ４４０）。このとき、送信部７は、同時に複数の音響再生装置３０に同じ音響信号を送ってもよい。
【００８３】
選択部３９は、受信部３８から送られてきた複数の音響信号の中から、設定部１６で設定された席の位置、高さに配置されているダミーヘッド２ｘであって、受聴者が希望する形状のダミーヘッド２ｘの音響信号を選択する（ステップＳ４５０）。
【００８４】
そして、選択部３９はこの選択したダミーヘッド２ｘからの音響信号をヘッドホン１７Ｌ，１７Ｒに送り（ステップＳ４６０）、ヘッドホン１７Ｌ，１７Ｒはこの音響信号を音として出力する（ステップＳ４７０）。
【００８５】
なお、本実施の形態においては、音響配信装置７０から音響信号を受信して音響再生装置３０で音を再生させる構成としたが、ＣＤ等の記録媒体から音響信号を取得して音響再生装置３０で音を再生させる構成としてもよい。
【００８６】
このように、第４の実施の形態によれば、音響再生装置３０が選択部３９を備えているので、音響再生装置３０が音響配信装置７０に受聴者が希望する席の位置や高さ、ダミーヘッド２ｘの形状の情報を送信する必要がない。したがって、簡易なシステム構成で受聴者が希望した位置で受聴者の頭部形状に近いダミーヘッド２ｘによって集音された音源４からの音を再生することが可能となる。
【００８７】
（第５の実施の形態）
図１２〜１４を用いてこの発明の第５の実施の形態について説明する。図１２は、本発明の第５の実施の形態にかかる音響再生装置の構成を示すブロック図であり、図１３は、図１２に示す音響再生装置を含んだ音響配信システムの構成を説明するための図である。なお、以下の説明では、上述した第１〜第４の実施の形態と同一の構成要素には同一の符号を付してその説明を省略している。
【００８８】
図１３において、音響配信システム２０１は、音源４、音響配信装置８０、ネットワーク５、１〜複数の音響再生装置４０からなり、音響配信装置７０は、４つのダミーヘッド２ａ〜２ｄ、送信部７を備えている。本実施の形態においては、音響再生装置４０が音響信号合成部４６を備える。
【００８９】
音響配信装置８０が備える４つのダミーヘッド２ａ〜２ｄで集音された音は音響信号Ａｌ，Ａｒ〜Ｄｌ，Ｄｒとして送信部７に送られる。送信部７は、ダミーヘッド２ａ〜２ｄの集音部３Ｌ，３Ｒからの音響信号Ａｌ，Ａｒ〜Ｄｌ，Ｄｒを受信し、この音響信号Ａｌ，Ａｒ〜Ｄｌ，Ｄｒをネットワーク５を介してリアルタイムで音響再生装置４０送る。なお、送信部７と音響再生装置４０は、ネットワークを介して接続する構成に限られず、送信部７と各音響再生装置４０を直接接続する構成としてもよい。
【００９０】
図１２に示すように、音響再生装置４０は、受信部３８、方向認識部２１、算出部４２、音響信号合成部２３、ヘッドホン１７Ｌ，１７Ｒからなる。受信部３８は、４つのダミーヘッド２ａ〜２ｄから音響信号Ａｌ，Ａｒ〜Ｄｌ，Ｄｒを受信し、音響信号合成部４６に送る。ダミーヘッド２ａからは音響信号Ａｌ，Ａｒを受信し、ダミーヘッド２ｂからは音響信号Ｂｌ，Ｂｒを受信する。ダミーヘッド２ｃからは音響信号Ｃｌ，Ｃｒを受信し、ダミーヘッド２ｄからは音響信号Ｄｌ，Ｄｒを受信する。
【００９１】
算出部４２は、方向認識部２１から頭部方向情報を受信し、この情報に基づいてヘッドホン１７Ｌ，１７に送るべき音響信号Ｔｌ，Ｔｒを算出する。音響信号合成部４６は、算出部４２での算出結果に基づいて受信部３８からの音響信号Ａｌ，Ａｒ〜Ｄｌ，Ｄｒの中から所定の音響信号を選択し、所定の合成をした後音響信号Ｔｌ，Ｔｒとしてヘッドホン１７Ｌ，１７Ｒに送る。
【００９２】
つぎに、このような音響配信システムの音響再生方法について、図１４のフローチャートを参照しながら説明する。音響配信装置７０は、音源４からの音を４つのダミーヘッド２ａ〜２ｄの夫々の集音部３Ｌ，３Ｒによって集音する（ステップＳ５１０）。夫々の集音部３Ｌ，３Ｒで集音された音は、音響信号Ａｌ，Ａｒ〜Ｄｌ，Ｄｒとして送信部７に送られ、送信部７はこの音響信号Ａｌ，Ａｒ〜Ｄｌ，Ｄｒを音響再生装置４０に送る（ステップＳ５２０）。
【００９３】
音響再生装置４０に送られた音響信号Ｔｌ，Ｔｒは、受信部３８によって受信され、音響信号合成部４６に送られる（ステップＳ５３０）。このとき、方向認識部２１は、ヘッドホン１７Ｌ，１７Ｒが備える角度センサからの情報と予め設定しておいた基準となる位置の情報によって、受聴者の頭部が向いている方向を検出し、（ステップＳ５４０）、これを頭部方向情報として算出部４２に送る（ステップＳ５５０）。
【００９４】
算出部４２は、送信部７から頭部方向情報を受信し、この情報に基づいて音響再生装置４０に送るべき音響信号Ｔｌ，Ｔｒを算出する（ステップＳ５６０）。算出部４２での算出結果（音響信号Ｔｌ，Ｔｒ）は音響信号合成部４６に送られ、音響信号合成部４６は算出部４２での算出結果に基づいて集音部３Ｌ，３Ｒで集音された音響信号Ａｌ，Ａｒ〜Ｄｌ，Ｄｒの中から所定の音響信号を選択して音響信号Ｔｌ，Ｔｒを合成する（ステップＳ５７０）。合成した音響信号Ｔｌ，Ｔｒは、ヘッドホン１７Ｌ，１７Ｒに送られる。ヘッドホン１７Ｌ，１７Ｒに送られた音響信号Ｔｌ，Ｔｒは音として出力され（ステップＳ５８０）、音響再生装置４０の使用者（受聴者）はこの音を受聴する。
【００９５】
受聴者が音を受聴している際、方向認識部２１は受聴者の頭部が向いている方向を確認し続けている。受聴者が頭部の方向を変えると（ステップＳ５９０でＹｅｓの場合）、方向認識部２１はその方向を検出し（ステップＳ５４０）、頭部方向情報として算出部４２に送る（ステップＳ５５０）。
【００９６】
以下、同様に受聴者が向いている方向に応じて出力すべき音響信号Ｔｌ，Ｔｒが算出部４２で算出され（ステップＳ５６０）、音響信号合成部４６において音響信号Ｔｌ，Ｔｒが合成される（ステップＳ５７０）。そして、この音響信号Ｔｌ，Ｔｒがヘッドホン１７Ｌ，１７Ｒに送られて、ヘッドホン１７Ｌ，１７Ｒで音が出力される（ステップＳ５８０）。
【００９７】
一方、受聴者が音を受聴している際に、頭部の方向を変えなければ（ステップＳ５９０でＮｏの場合）、このまま音響信号合成部４６で選択、合成された音響信号Ｔｌ，Ｔｒが音としてヘッドホン１７Ｌ，１７Ｒで出力され続けることとなる。このように、受聴者が音を受聴している間は、音響信号合成部４６において受聴者の頭部が向いている方向に追従して、音響信号Ｔｌ，Ｔｒが合成される。
【００９８】
なお、本実施の形態においては、４つのダミーヘッド２ａ〜２ｄで音源４からの音を集音することとしたが、ダミーヘッドは４つに限られず、例えば８つのダミーヘッドで集音する構成としてもよい。ダミーヘッドが４つの場合、各ダミーヘッド２ａ〜２ｄは、それぞれ音源４に対して９０度ずつ方向を変えて異なる方向を向かせて配置していたが、ダミーヘッドが８つの場合、各ダミーヘッドは、それぞれ音源４に対して４５度ずつ方向を変えて異なる方向を向かせて配置する。
【００９９】
また、本実施の形態においては、音源４に対して４つのダミーヘッド２ａ〜２ｄを一組設置する構成としたが、４つのダミーヘッド２ａ〜２ｄを種々の高さに複数組設置する構成としてもよい。この場合、種々の高さに設置された複数組のダミーヘッド２ａ〜２ｄが集音した複数組の音響信号Ａｌ，Ａｒ〜Ｄｌ，Ｄｒが送信部７、ネットワーク５、送受信部を介してヘッドホン１７Ｌ，１７Ｒに送られる。また、ヘッドホン１７Ｌ，１７Ｒには受聴者の頭部の高さを検知するセンサを設置しておく。そして、受聴者の頭部の高さに応じて、音響信号合成部６６からヘッドホン１７Ｌ，１７Ｒに送るべき音響信号Ｔｌ，Ｔｒを複数組の音響信号Ａｌ，Ａｒ〜Ｄｌ，Ｄｒから選択して合成すればよい。
【０１００】
なお、本実施の形態においては、音響配信装置８０から音響信号を受信して音響再生装置４０で音を再生させる構成としたが、ＣＤ等の記録媒体から音響信号を取得して音響再生装置４０で音を再生させる構成としてもよい。
【０１０１】
このように、第５の実施の形態によれば、音響再生装置４０が音響信号合成部４６を備えているので、音響再生装置４０が音響配信装置８０に頭部方向情報を送信する必要がない。したがって、簡易なシステム構成で音響再生装置４０は受聴者が向いている方向に追従した音を再生することが可能となる。
【０１０２】
（第６の実施の形態）
図１５〜１８を用いてこの発明の第６の実施の形態について説明する。図１５は、本発明の第６の実施の形態にかかるバイノーラル再生装置の構成を示すブロック図であり、図１６は、図１５に示すバイノーラル再生装置を含んだバイノーラルシステムの構成を示すシステム構成図である。なお、以下の説明では、上述した第１〜第５の実施の形態と同一の構成要素には同一の符号を付してその説明を省略している。
【０１０３】
図１６において、バイノーラルシステム３００は、音源４、音響配信装置３２０、ネットワーク５、１〜複数のバイノーラル再生装置３１０からなる。バイノーラル再生装置３１０は、送信部７からリアルタイムで送られる音響信号を受信して、この音響信号を後述するヘッドホン１７Ｌ，１７Ｒでリアルタイム再生する装置である。
【０１０４】
ダミーヘッド２ｘと受聴者の身体的特徴である頭部形状等の違いからダミーヘッド２ｘの位置で実際に音源からの音を聞く場合と、ヘッドホン１７Ｌ，１７Ｒを介して音を聞く場合とで耳の中で聞こえる音に違いが生ずる。この音の違いを音響信号の補正によって軽減させるため、音響信号をダミーヘッド２ｘからバイノーラル再生装置３１０に送る際、送信部７は頭部伝達関数として例えばダミーヘッド２ｘの形状等に関する情報（以下、ダミーヘッド情報という）もデータ化してバイノーラル再生装置３１０に送る。
【０１０５】
図１５に示すように、バイノーラル再生装置３１０は、受信部３８、頭部形状補正部３１８、ヘッドホン１７Ｌ，１７Ｒ、設定部３１６からなる。受信部３８は、ネットワーク５と接続され、送信部７からの音響信号、ダミーヘッド情報を受信し、頭部形状補正部５８に送る。
【０１０６】
設定部３１６は、受聴者の頭部形状に関する情報を設定するためのものであり、受聴者の頭部形状に関する情報は頭部形状補正部３１８に送られる。頭部形状補正部３１８は、ダミーヘッド２ｘによって集音される音と受聴者が実際に受聴する音の違いを補正するため、ダミーヘッド情報と受聴者の頭部形状に関する情報を比較して、音響信号の補正を行う。ヘッドホン１７Ｌ，１７Ｒは、頭部形状補正部３１８から送られる補正された音響信号を音として出力する。
【０１０７】
つぎに、バイノーラルシステム３００による音響信号の補正について説明する。図１７は、バイノーラルシステムによる音響信号の集音、補正、再生を説明するための図である。ダミーヘッド２ｘの集音部３Ｌ，３Ｒで集音された音は、音響信号として送信部７、ネットワーク５、受信部３８を介して頭部形状補正部３１８に送られる。送信部７は予めダミーヘッド情報を持っているものとし、ダミーヘッド情報もデータ化してバイノーラル再生装置３１０に送っている。
【０１０８】
受聴者３１の頭部形状に関する情報は予め受聴者３１が持っているものとし、予め設定部３１６を介して頭部形状補正部３１８に設定しておく。頭部形状補正部３１８は、ダミーヘッド情報と受聴者の頭部形状に関する情報を比較し、ダミーヘッド２ｘの集音部３Ｌ，３Ｒで集音された音とヘッドホン１７Ｌ，１７Ｒを介して受聴者が聞く音が同じになるよう音響信号を補正する。このとき、受聴者３１がヘッドホン１７Ｌ，１７Ｒを装着することによって引き起こされる、集音された音と受聴する音の違いを補正してもよい。そして、補正の行われた音響信号はヘッドホン１７Ｌ，１７Ｒから出力され、受聴者３１は音を受聴することとなる。
【０１０９】
つぎに、このようなバイノーラルシステム３００の音響再生方法について、図１８のフローチャートを参照しながら説明する。バイノーラル再生装置３１０の使用者（音の受聴者３１）は、ダミーヘッド２ｘから送られてくる信号を補正するため、設定部３１６を介して頭部形状補正部３１８に受聴者３１の頭部形状に関する情報を設定する（ステップＳ６１０）。
【０１１０】
音源４からの音は、ダミーヘッド２ｘの集音部３Ｌ，３Ｒによって集音される（ステップＳ６２０）。このとき、ダミーヘッド２ｘは、音源４の正面に向けられており、ダミーヘッド２ｘの位置に受聴者がいたとした時に、受聴者の左耳で聞く音を集音部３Ｌで集音し、受聴者の右耳で聞く音を集音部３Ｒで集音する。
【０１１１】
集音部３Ｌ，３Ｒで集音された音は、音響信号として送信部７に送信される。送信部７は、この音響信号とダミーヘッド情報をネットワーク５を介してバイノーラル再生装置３１０にリアルタイムで送る（ステップＳ６３０）。このとき、送信部７は、同時に複数のバイノーラル再生装置３１０に同じ音響信号とダミーヘッド情報を送ることも可能である。バイノーラル再生装置３１０に送られた音響信号とダミーヘッド情報は、受信部３８によって受信され、頭部形状補正部３１８に送られる（ステップＳ６４０）。
【０１１２】
頭部形状補正部３１８は、予め設定しておいた受聴者３１の頭部形状に関する情報と受信部３８からのダミーヘッド情報を比較する。そして、頭部形状補正部３１８は、ダミーヘッド２ｘの集音部３Ｌ，３Ｒで集音された音とヘッドホン１７Ｌ，１７Ｒを介して受聴者が聞く音が同じになるよう受信部５２からの音響信号を補正する（ステップＳ６５０）。補正の行われた音響信号はヘッドホン１７Ｌ，１７Ｒから音として出力され（ステップＳ６６０）、受聴者はこの音を受聴する。
【０１１３】
なお、複数人で行う電話会議等に本実施の形態のバイノーラルシステム３００を用いてもよい。この場合、電話会議の参加者毎に一組のバイノーラル再生装置３１０と音響配信装置３２０を設置しておく。そして、自分以外の参加者の音はバイノーラル再生装置３１０のヘッドホン１７Ｌ，１７Ｒから受聴し、自分の音は自分の音響配信装置３２０のダミーヘッド２ｘを介して自分以外の参加者のバイノーラル再生装置３１０に送ればよい。なお、一つの場所に複数人の参加者がいる場合は、ダミーヘッド２ｘをこの複数人の参加者で共有してもよい。
【０１１４】
なお、本実施の形態においては、バイノーラル再生装置３１０は、音響配信装置３２０から音響信号とダミーヘッド情報を受信する構成としたが、バイノーラル再生装置３１０は、ＣＤ等の記録媒体から音響信号とダミーヘッド情報を取得する構成としてもよい。
【０１１５】
このように、第６の実施の形態によれば、送信部７からは、音響信号とともにダミーヘッド情報もバイノーラル再生装置３１０に送られるので、バイノーラル再生装置３１０はダミーヘッド２ｘと受聴者３１の頭部形状の違いによって引き起こされる集音部３Ｌ，３Ｒでの音と受聴者３１に到達する音の違いを補正することが可能となる。したがって、バイノーラル再生装置３１０は受聴者の頭部形状に応じた臨場感のある音響再生をすることが可能となる。
【０１１６】
（第７の実施の形態）
図１９および図２０を用いてこの発明の第７の実施の形態について説明する。図１９は、本発明の第７の実施の形態にかかる媒体作成装置の構成を説明するための図である。
なお、以下の説明では、上述した第１〜第６の実施の形態と同一の構成要素には同一の符号を付してその説明を省略している。
【０１１７】
媒体作成装置９５は、ダミーヘッド９７、記録部１９６からなる。ダミーヘッド９７は、実施の形態１および実施の形態２で説明したダミーヘッド２ｘおよびダミーヘッド２ａ〜２ｄと同様に集音部３Ｌ，３Ｒを備えた構造をしている。
【０１１８】
ダミーヘッド９７はダミーヘッドの形状に関するダミーヘッド情報を有している。記録部１９６は、ダミーヘッド９７で集音された音響信号をＣＤ（Compact Disc）等の記録媒体９２に記録する機能を有している。また、記録媒体９２へは音響信号を集音したダミーヘッド９７のダミーヘッド情報も記録されるものとする。
【０１１９】
なお、ダミーヘッド情報の記録媒体９２への記録は、記録部１９６がダミーヘッド９７にダミーヘッド情報を要求することによって行ってもよいし、ダミーヘッド９７から記録部１９６にダミーヘッド情報を提供することによって行ってもよい。
【０１２０】
また、１つの記録媒体９２に複数の音響信号とこれに対応するダミーヘッド情報を記録させるようにしてもよいし、１つの記録媒体９２には１つの音響信号とこれに対応する１つのダミーヘッド情報のみを記録させるようにしてもよい。
【０１２１】
つぎに、このような媒体記録装置の媒体記録方法について、図２０のフローチャートを参照しながら説明する。ダミーヘッド９７は、音源４からの音を音響信号として集音し（ステップＳ７１０）、この音響信号を記録部１９６に送る。そして、記録部１９６は音響信号を記録媒体９２に記録させる（ステップＳ７２０）。このとき、音響信号を集音したダミーヘッドのダミーヘッド情報を、記録部１９６によって記録媒体９２に記録させる（ステップＳ７３０）。
【０１２２】
なお、本実施の形態においては、ダミーヘッド９７が音源４からの音を集音した後に、ダミーヘッド情報を記録媒体９２に記録することとしたが、ダミーヘッド９７が音源４からの音を集音する前に、ダミーヘッド情報を記録媒体９２に記録するようにしてもよい。また、記録部１９６が音響信号やダミーヘッド情報を一時的に保留しておき、必要に応じて音響信号とダミーヘッド情報を記録媒体９２に記録させるようにしてもよい。
【０１２３】
このように、第７の実施の形態によれば、媒体作成装置９５が音響信号とともにダミーヘッド情報を記録媒体９２に記録させることとしたので、記録媒体９２の音響信号を音として受聴する受聴者は、音を受聴する際ダミーヘッド情報に基づいて自らの頭部形状に応じた音響信号の補正を行うことが可能となる。
【０１２４】
（第８の実施の形態）
図２１〜２４を用いてこの発明の第８の実施の形態について説明する。本実施の形態においては、複数のカメラで静止画像や動画を撮像する。図２１は本発明の第８の実施の形態にかかる画像表示装置の構成を示すブロック図であり、図２２は図２１に示す画像表示装置を含んだ画像表示システムの構成を説明するための図であり、図２３は図２１に示す画像表示装置の一例を示す図である。
【０１２５】
なお、以下の説明では、上述した第１の実施の形態〜第７の実施の形態と同一の構成要素には同一の符号を付してその説明を省略している。本実施の形態では複数のカメラが静止画像を撮像する場合について説明するが、撮像される対象は動画であってもよい。また、静止画像や動画は音を含むものであってもよいし、音を含まないものであってもよい。
【０１２６】
図２２において、画像表示システム４００は、３つのカメラ９ａ〜９ｃ、撮像対象１９、送信部８を備える画像配信装置３５、ネットワーク５、複数の画像表示装置９０からなる。
【０１２７】
カメラ９ａ〜９ｃは、所定の角度ずつ方向を変えて異なる方向を撮像する。カメラ９ｂは、正面方向を撮像し、カメラ９ａは左方向を撮像し、カメラ９ｃは右方向を撮像する。また、カメラ９ａ〜９ｃで撮像する静止画像は結合することによって撮像対象１９を連続した一体の画像として表示できるよう撮像する。撮像対象１９は、例えば絵画等であり、カメラ９ａ〜９ｃによって撮像される。
【０１２８】
送信部８は、カメラ９ａ〜９ｃと接続されており、カメラ９ａ〜９ｃが撮像した画像をネットワーク５を介して複数の画像表示装置９０に送る。カメラ９ａが撮像した画像を画像信号（ディジタル信号）Ｐａとし、カメラ９ｂが撮像した画像を画像信号Ｐｂとし、カメラ９ｃが撮像した画像を画像信号Ｐｃとする。画像表示装置９０は、カメラ９ａ〜９ｃで撮像された画像を表示する。
【０１２９】
なお、カメラ９ａ〜９ｃから送信部８、ネットワーク５を介して画像表示装置９０へ送られる画像信号Ｐａ〜Ｐｃは、リアルタイムで送られるものとする。また、送信部８と画像表示装置９０は、ネットワーク５を介して接続する構成に限られず、送信部８と画像表示装置９０を直接接続する構成としてもよい。
【０１３０】
図２１に示すように、画像表示装置９０は、受信部９４、方向認識部７１、算出部９９、信号選択部９３、表示部１９５からなる。受信部９４は、カメラ９ａからは画像信号Ｐａを受信し、カメラ９ｂからは画像信号Ｐｂを受信し、カメラ９ｃからは画像信号Ｐｃを受信して信号選択部９３に送る。
【０１３１】
算出部９９は、視聴者（鑑賞者）が向いている方向に応じて表示部１９５に送るべき画像信号を算出する。例えば、視聴者が基準となる位置に対して正面を向いている場合は、表示部１９５に送るべき画像信号として、カメラ９ｂによって撮像対象１９の中央部分を撮像した画像の画像信号Ｐｂを算出する。
【０１３２】
また、視聴者が左方向または右方向を向いた場合は、画像信号Ｐａ〜Ｐｂから、視聴者が向いた方向に応じた画像信号を算出する。この場合、カメラ９ｂによって撮像対象１９の中央部分を撮像した画像、カメラ９ａによって撮像対象１９の左部分を撮像した画像、カメラ９ｃによって撮像対象１９の右部分を撮像した画像を所定の割合ずつ合成することによって１つの画像を表示させることとなる。例えば、カメラ９ｂによって撮像した画像の左半分と、カメラ９ａによって撮像した画像の右半分を合成して１つの画像を表示する。
【０１３３】
信号選択部９３は、算出部９９での算出結果に基づいて受信部９４から所定の画像信号を選択し、所定の合成をした後表示部１９５に送る。表示部１９５は、頭部から顔面を覆うように装着される頭部装着型の映像表示機能を有しており、信号選択部９３で選択、合成された画像信号を画像として映し出す。
【０１３４】
図２３は、表示部の一例を表した図である。表示部１９５は、例えばゴーグル形状をしており、左眼用の液晶ディスプレイ９６Ｌ、右眼用の液晶ディスプレイ９６Ｒ、画像を映し出すための光学系等からなる。表示部１９５の使用者は、この表示部１９５を頭部に装着することによって画像を両眼で認識することが可能となる。
【０１３５】
つぎに、このような画像表示システムの画像表示方法について、図２４のフローチャートを参照しながら説明する。撮像対象１９は、３つのカメラ９ａ〜９ｃによって撮像される（ステップＳ８１０）。このとき、カメラ９ｂは撮像対象１９の中央部分を撮像し、カメラ９ａは撮像対象１９の左側部分を撮像し、カメラ９ｃは撮像対象１９の右側部分を撮像している。これにより、３つのカメラ９ａ〜９ｃは撮像対象１９の全範囲を撮像している。
【０１３６】
夫々のカメラ９ａ〜９ｃで撮像された画像は、画像信号Ｐａ〜Ｐｃとして送信部８に送信される。送信部８は、この画像信号Ｐａ〜Ｐｃをネットワーク５を介して画像表示装置９０にリアルタイムで送る（ステップＳ８２０）。このとき、送信部８は、同時に複数の画像表示装置９０に画像信号Ｐａ〜Ｐｃを送ることも可能である。画像表示装置９０に送られた画像信号Ｐａ〜Ｐｃは、受信部９４によって受信され、信号選択部９３に送られる（ステップＳ８３０）。
【０１３７】
ヘッドホン１７Ｌ，１７Ｒが備える角度センサが、基準となる位置に対する受聴者の向いている方向に応じた信号を方向認識部７１に送る。これにより、方向認識部７１は、受聴者が向いている方向を検出し（ステップＳ８４０）、算出部９９に送る。
【０１３８】
算出部９９は、方向認識部７１において検出された視聴者の向いている方向に応じて表示部１９５で出力されるべき画像信号を算出し（ステップＳ８５０）、これを信号選択部９３に送る。
【０１３９】
信号選択部９３は、算出部９９の算出結果に基づいて、画像信号Ｐａ〜Ｐｃの中から必要な画像信号を選択して合成し（ステップＳ８６０）、表示部１９５に送る。信号選択部９３から送られた画像信号は表示部１９５によって映し出され（ステップＳ８７０）、画像表示装置９０の使用者（視聴者）はこの画像を視聴する。
【０１４０】
視聴者が画像を視聴している際、方向認識部７１は視聴者が向いている方向を確認し続けている。視聴者が頭部の方向を変えると（ステップＳ８８０でＹｅｓの場合）、方向認識部７１はその方向を検出する（ステップＳ８４０）。以下、同様に視聴者が向いている方向に応じて出力すべき音響信号を算出し（ステップＳ８５０）、信号選択部９３においてこの画像信号を選択して合成する。
【０１４１】
一方、視聴者が画像を視聴している際に、頭部の方向を変えなければ、このまま信号選択部９３で選択、合成された音響信号を表示部１９５に送り続けることとなる。このように、視聴者が画像を視聴している間は、信号選択部９３において視聴者が向いている方向に追従して、画像信号が選択、合成される。
【０１４２】
なお、３つのカメラ９ａ〜９ｃは１つの場所に設置される構成に限られず、第１の実施の形態で説明したダミーヘッド２ｘのように種々の席や高さに配置する構成としてもよい。この場合、画像配信装置３５がどの席や高さに配置されたカメラ９ａ〜９ｃで撮像された画像を画像表示装置９０に送信するかを選択してもよいし、画像表示装置９０がどの席や高さに配置されたカメラ９ａ〜９ｃで撮像された画像を表示するかを選択してもよい。
【０１４３】
なお、本実施の形態においては、３つのカメラ９ａ〜９ｃで撮像対象１９を撮像することとしたが、撮像対象１９を撮像するカメラは３つに限られず、２つまたは４つ以上のカメラで撮像対象を撮像する構成としてもよい。
【０１４４】
なお、本実施の形態においてはカメラ９ａ〜９ｃを横方向に並べて配置する構成としたが、縦方向または縦横の両方向に並べて配置する構成としてもよい。さらに、動画を撮像する場合であって撮像対象１９が移動する場合は、この移動に伴ってカメラ９ａ〜９ｃを移動させてもよい。カメラ９ａ〜９ｃを移動する場合であっても、各カメラ９ａ〜９ｃで撮像する静止画像は結合することによって撮像対象１９を連続した一体の画像として表示できるよう撮像する。また、表示部１９５は、画像表示装置９０から独立した構成としてもよい。
【０１４５】
なお、本実施の形態においては、カメラ９ａ〜９ｃで撮像した画像をリアルタイムで画像表示装置９０に送り、表示することとしたが、撮像した画像はリアルタイムで送信、表示することに限られず、撮像した画像の画像信号をＤＶＤ（Digital Video Disk）等の記録媒体に保存するようにしてもよい。この場合、画像信号とともにこの画像信号を撮像した条件に関する情報も記録媒体に記録させる。そして、記録媒体に保存した画像信号とこの画像信号を撮像した条件に関する情報を画像表示装置９０の受信部９４に入力する。これにより、画像表示装置９０は画像信号を撮像した条件に関する情報と算出部９９の算出結果に基づいて画像信号を選択、合成して表示することとなる。
【０１４６】
また、本実施の形態においては画像表示装置９０が信号選択部９３を備える構成としたが、実施の形態１の図２で示した音響配信装置５０の選択部６のように、配信側の装置である画像配信装置３５が信号選択部９３に対応する機能を備える構成としてもよい。
【０１４７】
このように、第８の実施の形態によれば、３つのカメラ９ａ〜９ｃが異なる方向を向いて設置されているので、広範囲（広角度）に位置するに撮像対象１９を分割して撮像することができる。また、画像表示装置９０の方向認識部７１は、視聴者が向いている方向を検出し、信号選択部９３は視聴者が向いている方向に対応した画像信号を選択して合成することができる。したがって、撮像対象１９が広範囲に位置する場合であっても、視聴者が向いている方向に対応した画像を表示することが可能となる。
【産業上の利用可能性】
【０１４８】
以上のように、本発明にかかる音声配信装置およびその方法、音声再生装置、バイノーラルシステム、バイノーラル音響配信装置およびその方法、バイノーラル音響再生装置、記録媒体作成装置およびその方法は、受聴者毎に音の選択や補正が可能な再生装置に適している。
【図面の簡単な説明】
【０１４９】
【図１】本発明の第１の実施の形態にかかる音響再生装置の構成を示すブロック図である。
【図２】図１に示す音響再生装置を含んだ音響配信システムの構成を示すシステム構成図である。
【図３】本発明の第１の実施の形態にかかる音響配信システムの音響再生方法を示すフローチャートである。
【図４】本発明の第２の実施の形態にかかる音響再生装置の構成を示すブロック図である。
【図５】図４に示す音響再生装置を含んだ音響配信システムの構成を示すシステム構成図である。
【図６】本発明の第１の実施の形態にかかる音響配信システムの音響再生方法を示すフローチャートである。
【図７】本発明の第３の実施の形態にかかる媒体作成装置の構成を説明するための図である。
【図８】本発明の第３の実施の形態にかかる媒体記録装置の媒体記録方法を示すフローチャートである。
【図９】本発明の第４の実施の形態にかかる音響再生装置の構成を示すブロック図である。
【図１０】図９に示す音響再生装置を含んだ音響配信システムの構成を示すシステム構成図である。
【図１１】本発明の第４の実施の形態にかかる音響配信システムの音響再生方法を示すフローチャートである。
【図１２】本発明の第５の実施の形態にかかる音響再生装置の構成を示すブロック図である。
【図１３】図１２に示す音響再生装置を含んだ音響配信システムの構成を説明するための図である。
【図１４】本発明の第５の実施の形態にかかる音響配信システムの音響再生方法を示すフローチャートである。
【図１５】本発明の第６の実施の形態にかかるバイノーラル再生装置の構成を示すブロック図である。
【図１６】図１５に示すバイノーラル再生装置を含んだバイノーラルシステムの構成を示すシステム構成図である。
【図１７】バイノーラルシステムによる音響信号の集音、補正、再生を説明するための図である。
【図１８】本発明の第６の実施の形態にかかるバイノーラルシステム３００の音響再生方法を示すフローチャートである。
【図１９】本発明の第７の実施の形態にかかる媒体作成装置の構成を説明するための図である。
【図２０】本発明の第７の実施の形態にかかる媒体記録装置の媒体記録方法を示すフローチャートである。
【図２１】本発明の第８の実施の形態にかかる画像表示装置の構成を示すブロック図である。
【図２２】図２１に示す画像表示装置を含んだ画像表示システムの構成を説明するための図である。
【図２３】図２１に示す画像表示装置の一例を示す図である。
【図２４】本発明の第８の実施の形態にかかる画像表示システムの画像表示方法を示すフローチャートである。
【符号の説明】
【０１５０】
１  送受信部
２ａ〜２ｄ，２ｘ  ダミーヘッド
３Ｌ，３Ｒ  集音部
４  音源
５  ネットワーク
６  選択部
７，８  送信部
９ａ〜９ｃ  カメラ
１０  音響再生装置
１６  設定部
１７Ｌ，１７Ｒ  ヘッドホン
１８  送受信部
１９  撮像対象
２０，３０，４０，５０  音響再生装置
２１  方向認識部
２３  音響信号合成部
３１  受聴者
３５  画像配信装置
３８  受信部
３９  選択部
４２，６８，９９  算出部
４６  音響信号合成部
５２  受信部
５８  頭部形状補正部
６０，７０，８０  音響配信装置
６６  音響信号合成部
７１  方向認識部
８５  媒体作成装置
９０  画像表示装置
９１  記録部
９２  記録媒体
９３  信号選択部
９４  受信部
１９５  表示部
９５  媒体作成装置
９６Ｌ，９６Ｒ  液晶ディスプレイ
９７  ダミーヘッド
１００，１０１，２００，２０１  音響配信システム
１９６  記録部
３００  バイノーラルシステム
３１０  バイノーラル再生装置
３１６  設定部
３１８  頭部形状補正部
３２０  音響配信装置
４００  画像表示システム
Ａｌ，Ａｒ〜Ｄｌ，Ｄｒ  音響信号
Ｄｎ  ダミーヘッド
Ｅ１  集音条件
Ｐａ〜Ｐｃ  画像信号
Ｓ１，Ｔｌ，Ｔｒ  音響信号
【図１】
2005244664.tif 000003
【図２】
2005244664.tif 000004
【図３】
2005244664.tif 000005
【図４】
2005244664.tif 000006
【図５】
2005244664.tif 000007
【図６】
2005244664.tif 000008
【図７】
2005244664.tif 000009
【図８】
2005244664.tif 000010
【図９】
2005244664.tif 000011
【図１０】
2005244664.tif 000012
【図１１】
2005244664.tif 000013
【図１２】
2005244664.tif 000014
【図１３】
2005244664.tif 000015
【図１４】
2005244664.tif 000016
【図１５】
2005244664.tif 000017
【図１６】
2005244664.tif 000018
【図１７】
2005244664.tif 000019
【図１８】
2005244664.tif 000020
【図１９】
2005244664.tif 000021
【図２０】
2005244664.tif 000022
【図２１】
2005244664.tif 000023
【図２２】
2005244664.tif 000024
【図２３】
2005244664.tif 000025
【図２４】
2005244664.tif 000026